【手続補正書】
【提出日】令和2年12月10日(2020.12.10)
【手続補正１】
【補正対象書類名】特許請求の範囲
【補正対象項目名】全文
【補正方法】変更
【補正の内容】
【特許請求の範囲】
【請求項１】
筐体の前面側に設けて空気を流入させ、旋回気流を発生させる流入口と、
前記筐体の背面側に設けて空気を前記筐体の外へ流出させる流出口と、
前記筐体の内部を該筐体の側面に近い外周側と該筐体の中心部を含む内周側とに仕切る空間分割板と、
前記空間分割板によって、前記外周側に位置して形成される分離室及び前記内周側に位置して形成される旋回室と、
前記分離室と前記旋回室とを連通させる連通部と、
前記分離室の内部と前記筐体の外とを連通させる排出口と、
を備え、
前記流入口と前記流出口とは、一つの中心軸に対して、それぞれ回転対象形状をなし、
前記流入口は、前記内周側に位置し、かつ、前記筐体の前面において環状に形成した縁部と、該前面に対向して前記筐体の内部に配置した円形板と、該円形板と前記縁部との間に配置した気流旋回羽根と、を備え、
前記円形板の直径は、前記円形板に対向する前記流出口の直径に比べて大きくしたことを特徴とするサイクロン分離装置。
【請求項２】
前記円形板には、前記気流旋回羽根一端が、前記円形板の内側に配置され、前記気流旋回羽根の外周に環状片が形成されていることを特徴とする請求項１に記載のサイクロン分離装置。
【請求項３】
前記円形板は、前記流入口内に円錐板を備え、前記円錐板の頂点を前記流入口内に配置したことを特徴とする請求項１または２に記載のサイクロン分離装置。
【請求項４】
前記流出口は、前記筐体の外側でダクトを接続することができる円筒であって、前記筐体の内側へ向けて吐出した流出開口を有し、
前記流入口の前記縁部と、前記流入口の前記円形板と、前記空間分割板の開口と、前記流出開口とは、前記中心軸方向に並んで配置され、
前記円形板は、前記中心軸方向において、前記開口よりも前記縁部側に配置し、
前記流出開口は、前記中心軸方向において、前記開口よりも前記縁部側に配置したことを特徴とする請求項１から３にいずれか一つに記載のサイクロン分離装置。
【手続補正２】
【補正対象書類名】明細書
【補正対象項目名】０００３
【補正方法】変更
【補正の内容】
【０００３】
分離室１０９と旋回室１１１は、連通部１１０によって連通し、分離室１０９内部と前記筐体１０２外とを連通させる排出口１１２とを備えている。
【手続補正３】
【補正対象書類名】明細書
【補正対象項目名】０００４
【補正方法】変更
【補正の内容】
【０００４】
流入口１０４と流出口１０６は、一つの中心同軸１１３に対して、それぞれ回転対象形状をなしている。流入口１０４は、内周側に位置し、かつ筐体１０２の前面１０３において環状に形成した縁部１１４と、前面１０３に対して筐体１０２の内部に側に配置した円形板１１５と、円形板１１５と縁部１１４との間に配置した気流旋回羽根１１６を備えていた。
【手続補正４】
【補正対象書類名】明細書
【補正対象項目名】０００８
【補正方法】変更
【補正の内容】
【０００８】
そして、この目的を達成するために、本発明に係るサイクロン分離装置は、筐体の前面側に設けて空気を流入させ、旋回気流を発生させる流入口と、筐体の背面側に設けて空気を筐体の外へ流出させる流出口と、筐体の内部を該筐体の側面に近い外周側と該筐体の中心部を含む内周側とに仕切る空間分割板と、空間分割板によって、外周側に位置して形成される分離室及び内周側に位置して形成される旋回室と、分離室と旋回室とを連通させる連通部と、分離室の内部と筐体の外とを連通させる排出口と、を備え、流入口と流出口とは、一つの中心同軸に対して、それぞれ回転対象形状をなし、流入口は、前記内周側に位置し、かつ、筐体の前面において環状に形成した縁部と、該前面に対向して筐体の内部に側に配置した円形板と、該円形板と縁部との間に配置した気流旋回羽根と、を備え、円形板の直径は、円形板に対向する流出口の直径に比べて大きくしたことを特徴とするものであり、これにより、所期の目的を達成するものである。
【手続補正５】
【補正対象書類名】明細書
【補正対象項目名】０００９
【補正方法】変更
【補正の内容】
【０００９】
本発明によれば、流入口から流出口へ向けて吸引される空気は円形板によって円周方向へ広げられることで、直進する気流とはならず、旋回気流に変化させて粉塵を分離しやすくすることができるので、分離性能を向上したサイクロン分離装置を提供することができる。
【手続補正６】
【補正対象書類名】明細書
【補正対象項目名】００１１
【補正方法】変更
【補正の内容】
【００１１】
本発明に係るサイクロン分離装置は、筐体の前面側に設けて空気を流入させ、旋回気流を発生させる流入口と、筐体の背面側に設けて空気を筐体の外へ流出させる流出口と、筐体の内部を該筐体の側面に近い外周側と該筐体の中心部を含む内周側とに仕切る空間分割板と、空間分割板によって、外周側に位置して形成される分離室及び内周側に位置して形成される旋回室と、分離室と旋回室とを連通させる連通部と、分離室の内部と筐体の外とを連通させる排出口とを備え、流入口と流出口とは、一つの中心同軸に対して、それぞれ回転対象形状をなし、流入口は、内周側に位置し、かつ、筐体の前面において環状に形成した縁部と、該前面に対向して筐体の内部に側に配置した円形板と、該円形板と縁部との間に配置した気流旋回羽根と、を備え、円形板の直径は、円形板に対向する流出口の直径に比べて大きくしたことを特徴とするものである。
【手続補正７】
【補正対象書類名】明細書
【補正対象項目名】００１３
【補正方法】変更
【補正の内容】
【００１３】
また、本発明に係るサイクロン分離装置は、円形板には、気流旋回羽根の一端が、円形板の内側に配置され、気流旋回羽根の外周に環状片が形成れている構成としてもよい。
【手続補正８】
【補正対象書類名】明細書
【補正対象項目名】００１５
【補正方法】変更
【補正の内容】
【００１５】
また、本発明に係るサイクロン分離装置は、円形板は、流入口内に円錐板を備え、円錐板の頂点を流入口内に配置してもよい。
【手続補正９】
【補正対象書類名】明細書
【補正対象項目名】００１７
【補正方法】変更
【補正の内容】
【００１７】
また、本発明に係るサイクロン分離装置は、流出口は、筐体の外側でダクトを接続することができる円筒であって、筐体の内側へ向けて吐出した流出開口を有し、流入口の縁部と、流入口の円形板と、空間分割板の開口と、流出開口とは、中心同軸方向に並んで配置され、円形板は、中心軸方向において、開口よりも縁部側に配置し、流出開口は、中心軸方向において、開口よりも縁部側に配置したものである。
【手続補正１０】
【補正対象書類名】明細書
【補正対象項目名】００１８
【補正方法】変更
【補正の内容】
【００１８】
これにより、旋回気流は、旋回室内を空間分割板の内側に沿って空間分割板の開口まで進み、空気に比べて質量の大きい粉塵は分離室内へ落下させ、空気は流出口へ吸い込まれることなるので、分離性能を向上することができる。
【手続補正１１】
【補正対象書類名】明細書
【補正対象項目名】００２４
【補正方法】変更
【補正の内容】
【００２４】
筐体２の前面である正面側の底面６の中央に環状に形成した縁部７によって形状が円形であることが認識できる開口８を設け、ここが流入口９の一部となる。また、背面側の底面４に相当するベース板５の中央に開口を設け、ここが流出口１０となる。
【手続補正１２】
【補正対象書類名】明細書
【補正対象項目名】００３０
【補正方法】変更
【補正の内容】
【００３０】
流入口９は、筐体２の中心部（または中心軸２０）を含む内周側すなわち旋回室１８に位置し、かつ正面側の底面６（筐体２の前面）に対して（言い換えると筐体２の前面から見て）筐体２の内部側に配置した円形板１９と、該円形板１９と縁部７との間に配置した気流旋回羽根２３を備えている。つまり、流入口９は、縁部７と円形板１９と気流旋回羽根２３によって正面側の底面６（筐体２の前面）側から筐体２の内部側に向けて形成された凹んだ空間を示す。
【手続補正１３】
【補正対象書類名】明細書
【補正対象項目名】００３２
【補正方法】変更
【補正の内容】
【００３２】
円錐台の形状とするために、縁部７を形成する円形の面積に比べて円形板１９の面積を小さくしている。そして、円錐台の側面部に配置する気流旋回羽根２３は、一端を円形板１９上に他端を縁部７に接続している。気流旋回羽根２３を複数環状に配置することで、円錐台の側面を形成している。一端は、円形板１９の外周からはみ出さないように配置している。
【手続補正１４】
【補正対象書類名】明細書
【補正対象項目名】００３７
【補正方法】変更
【補正の内容】
【００３７】
そこで、流入口９と流出口１０は、一つの中心軸２０に対して、それぞれ回転対象形状をなし、円形板１９の直径ｄ１は流出口１０の直径ｄ２に比べて大きくしている。
【手続補正１５】
【補正対象書類名】明細書
【補正対象項目名】００５３
【補正方法】変更
【補正の内容】
【００５３】
すなわち、流出口１０に替えて、筐体２の内側へ向けて吐出した流出管１５の先端である流出開口２６から空気を排出する構成を有している。流入口９の縁部７と、流入口９の円形板１９と、空間分割板１６の開口２１と、流出開口２６は中心軸２０の方向に並び、中心軸２０方向において、流入口９の円形板１９は、空間分割板１６の開口２１よりも流入口９の縁部７側に配置し、流出開口２６は、空間分割板１６の開口２１よりも流入口９の縁部７側に配置している。